(57)【特許請求の範囲】
【請求項１】
複数の入力操作子のうち、先になされた入力操作を訂正するための訂正操作子と、
入力操作時における上記訂正操作子に対する押圧強度を検出する押圧強度検出手段と、
上記押圧強度検出手段にて検出された押圧強度から押圧基準値を算出する押圧基準値算出手段と、
入力操作時における上記訂正操作子の単位時間当たりに押下される回数を検出する押下頻度検出手段と、
上記押下頻度検出手段にて検出された押下回数から押下頻度基準値を算出する押下頻度基準値算出手段と、
上記押圧基準値を記憶する押圧基準値記憶手段と、
上記押圧強度検出手段にて検出された押圧強度と上記押圧基準値記憶手段に記憶された押圧基準値とを比較する押圧強度比較手段と、
上記押下頻度基準値を記憶する押下頻度基準値記憶手段と、
上記押下頻度検出手段にて検出された押下回数と上記押下頻度基準値記憶手段に記憶された押下頻度基準値とを比較する押下頻度比較手段と、
上記押圧強度比較手段における比較結果と、上記押下頻度比較手段における比較結果から使用者の心理状態を判断する心理状態判断手段とを備え、
上記入力操作子に対して複数文字が割り当てられ、該入力操作子の連続押下回数に応じて入力される文字が切り換えられ、
上記押下頻度検出手段は、上記入力操作子の連続押下回数を検出し、上記心理状態判断手段は、該入力操作子の連続押下回数が該入力操作子に割り当てられる文字数を上回るとき、該入力操作子を上記訂正操作子としてみなして使用者の心理状態を判断することを特徴とする入力装置。
【請求項２】
複数の入力操作子のうち、先になされた入力操作を訂正するための訂正操作子と、
入力操作時における上記訂正操作子に対する押圧強度を検出する押圧強度検出手段と、
上記押圧強度検出手段にて検出された押圧強度から押圧基準値を算出する押圧基準値算出手段と、
入力操作時における上記入力操作子の連続押下される回数を検出する押下回数検出手段とを備え、
上記入力操作子に対して複数文字が割り当てられ、該入力操作子の連続押下回数に応じて入力される文字が切り換えられ、
上記入力操作子の連続押下回数が、該入力操作子に割り当てられる文字数を上回るとき、該入力操作子が上記訂正操作子として作用することを特徴とする入力装置。
【請求項３】
複数の入力操作子のうち、先になされた入力操作を訂正するための訂正操作子と、
入力操作時における上記訂正操作子の単位時間当たりに押下される回数を検出する押下頻度検出手段と、
上記押下頻度検出手段にて検出された押下頻度から押下頻度基準値を算出する押下頻度基準値算出手段とを備え、
上記入力操作子に対して複数文字が割り当てられ、該入力操作子の連続押下回数に応じて入力される文字が切り換えられ、
上記押下頻度検出手段は、上記入力操作子の連続押下回数を検出し、該入力操作子の連続押下回数が該入力操作子に割り当てられる文字数を上回るとき、該入力操作子を上記訂正操作子としてみなしてその押下回数を検出することを特徴とする入力装置。
【請求項４】
複数の入力操作子のうち、先になされた入力操作を訂正するための訂正操作子と、入力操作時における上記訂正操作子に対する押圧強度を検出する押圧強度検出手段とを備える操作部と、
情報を提示する情報提示手段と、
上記押圧強度検出手段で検出された押圧強度に応じて上記情報提示手段における情報提示のしかたを変更する制御を行う提示制御手段とを備え、
上記入力操作子に対して複数文字が割り当てられ、該入力操作子の連続押下回数に応じて入力される文字が切り換えられ、
上記押下頻度検出手段は、上記入力操作子の連続押下回数を検出し、該入力操作子の連続押下回数が該入力操作子に割り当てられる文字数を上回るとき、該入力操作子を上記訂正操作子としてみなしてその押圧強度を検出することを特徴とする電子機器。
【請求項５】
複数の入力操作子のうち、先になされた入力操作を訂正するための訂正操作子と、入力操作時における上記訂正操作子の単位時間当たりに押下される回数を検出する押下頻度検出手段とを備える操作部と、
情報を提示する情報提示手段と、
上記押下頻度検出手段で検出された押下回数に応じて上記情報提示手段における情報提示のしかたを変更する制御を行う提示制御手段とを備え、
上記入力操作子に対して複数文字が割り当てられ、該入力操作子の連続押下回数に応じて入力される文字が切り換えられ、
上記押下頻度検出手段は、上記入力操作子の連続押下回数を検出し、該入力操作子の連続押下回数が該入力操作子に割り当てられる文字数を上回るとき、該入力操作子を上記訂正操作子としてみなしてその押下回数を検出することを特徴とする電子機器。
【請求項６】
複数の入力操作子のうち、先になされた入力操作を訂正するための訂正操作子に対する入力操作時における押圧強度を検出し、
所定期間又は所定操作回数に亘って検出された上記押圧強度から押圧基準値を算出し、
上記入力操作子に対して複数文字が割り当てられ、該入力操作子の連続押下回数に応じて入力される文字が切り換えられ、
上記入力操作子の連続押下回数を検出し、
該入力操作子の連続押下回数が該入力操作子に割り当てられる文字数を上回るとき、該入力操作子を上記訂正操作子としてみなしてその押圧強度を検出することを特徴とする入力方法。
【請求項７】
複数の入力操作子のうち、先になされた入力操作を訂正するための訂正操作子が入力操作時において単位時間当たりに押下される回数を検出し、
所定期間に亘って検出された押下頻度から押下頻度基準値を算出し、
上記入力操作子に対して複数文字が割り当てられ、該入力操作子の連続押下回数に応じて入力される文字が切り換えられ、
上記入力操作子の連続押下回数を検出し、
該入力操作子の連続押下回数が該入力操作子に割り当てられる文字数を上回るとき、該入力操作子を上記訂正操作子としてみなしてその押下回数を検出することを特徴とする入力方法。
【発明の詳細な説明】
【技術分野】
【０００１】
本発明は、ユーザの心理情報を検出する入力装置及び入力方法、並びに電子機器に関し、ユーザによる通常の使用操作から心理状態を検出する入力装置及び入力方法、並びにユーザによる通常の使用操作から心理状態を検出する電子機器に関する。
【背景技術】
【０００２】
液晶表示装置を備えた、又はＴＶに接続可能とされた電子ゲーム装置は、操作入力キーを備えたコントローラによってユーザからの命令又はデータの入力を受け付け、入力された情報に基づいてプログラムを進行させるようになっている。しかしながら、従来の電子ゲーム装置は、用意されたプログラムがユーザからの入力操作によってのみ進行していくため、ゲームの娯楽性が限られてしまう。
【０００３】
そこで、コントローラにプレーヤの興奮度を検出する検出手段を設け、プレーヤの興奮度に応じてゲームの進行パターンを変更するという提案がされている。特に、発汗、心拍、血圧、体温、脳波、打キー強度、発音、まばたき等を検出してプレーヤの興奮度を把握し、ゲーム展開をさらに興奮させる技術が提案されている（例えば、特許文献１参照。）。
【０００４】
しかし、発汗、心拍、血圧、体温、脳波、打キー強度、発音、まばたき等から心理状態を算出する処理は、通常、高精度な生体指標の検出と複雑な解析アルゴリズムに基づいて実行されるために処理負荷が大きく、検出するためのコントローラ（操作入力部）構成も複雑化する。
【０００５】
【特許文献１】特開平５−２９３２５３号公報
【発明の開示】
【発明が解決しようとする課題】
【０００６】
本発明は、使用者の入力操作時の作用から使用者の焦り具合の状態を判断することができる入力装置及び入力方法、並びに使用者の入力操作時の作用から使用者の焦り具合の状態を判断することができる電子機器を提供することを目的とする。
【課題を解決するための手段】
【０００７】
上述した目的を達成するために、本発明に係る入力装置は、複数の入力操作子のうち、先になされた入力操作を訂正するための訂正操作子と、入力操作時における訂正操作子に対する押圧強度を検出する押圧強度検出手段と、押圧強度検出手段にて検出された押圧強度から押圧基準値を算出する押圧基準値算出手段と、入力操作時における訂正操作子の単位時間当たりに押下される回数を検出する押下頻度検出手段と、押下頻度検出手段にて検出された押下回数から押下頻度基準値を算出する押下頻度基準値算出手段と、押圧基準値を記憶する押圧基準値記憶手段と、押圧強度検出手段にて検出された押圧強度と押圧基準値記憶手段に記憶された押圧基準値とを比較する押圧強度比較手段と、押下頻度基準値を記憶する押下頻度基準値記憶手段と、押下頻度検出手段にて検出された押下回数と押下頻度基準値記憶手段に記憶された押下頻度基準値とを比較する押下頻度比較手段と、押圧強度比較手段における比較結果と、押下頻度比較手段における比較結果から使用者の心理状態を判断する心理状態判断手段とを備え、入力操作子に対して複数文字が割り当てられ、該入力操作子の連続押下回数に応じて入力される文字が切り換えられ、押下頻度検出手段は、入力操作子の連続押下回数を検出し、心理状態判断手段は、該入力操作子の連続押下回数が該入力操作子に割り当てられる文字数を上回るとき、該入力操作子を訂正操作子としてみなして使用者の心理状態を判断する。
【０００８】
また、本発明に係る入力装置は、複数の入力操作子のうち、先になされた入力操作を訂正するための訂正操作子と、入力操作時における訂正操作子に対する押圧強度を検出する押圧強度検出手段と、押圧強度検出手段にて検出された押圧強度から押圧基準値を算出する押圧基準値算出手段と、入力操作時における入力操作子の連続押下される回数を検出する押下回数検出手段とを備え、入力操作子に対して複数文字が割り当てられ、該入力操作子の連続押下回数に応じて入力される文字が切り換えられ、入力操作子の連続押下回数が、該入力操作子に割り当てられる文字数を上回るとき、該入力操作子が訂正操作子として作用する。
【０００９】
また、本発明に係る入力装置は、複数の入力操作子のうち、先になされた入力操作を訂正するための訂正操作子と、入力操作時における訂正操作子の単位時間当たりに押下される回数を検出する押下頻度検出手段と、押下頻度検出手段にて検出された押下頻度から押下頻度基準値を算出する押下頻度基準値算出手段とを備え、入力操作子に対して複数文字が割り当てられ、該入力操作子の連続押下回数に応じて入力される文字が切り換えられ、押下頻度検出手段は、入力操作子の連続押下回数を検出し、該入力操作子の連続押下回数が該入力操作子に割り当てられる文字数を上回るとき、該入力操作子を訂正操作子としてみなしてその押下回数を検出する。
【００１０】
また、上述の目的を達成するために本発明に係る電子機器は、複数の入力操作子のうち、先になされた入力操作を訂正するための訂正操作子と、入力操作時における訂正操作子に対する押圧強度を検出する押圧強度検出手段とを備える操作部と、情報を提示する情報提示手段と、押圧強度検出手段で検出された押圧強度に応じて情報提示手段における情報提示のしかたを変更する制御を行う提示制御手段とを備え、入力操作子に対して複数文字が割り当てられ、該入力操作子の連続押下回数に応じて入力される文字が切り換えられ、押下頻度検出手段は、入力操作子の連続押下回数を検出し、該入力操作子の連続押下回数が該入力操作子に割り当てられる文字数を上回るとき、該入力操作子を訂正操作子としてみなしてその押圧強度を検出する。
【００１１】
また、本発明に係る電子機器は、複数の入力操作子のうち、先になされた入力操作を訂正するための訂正操作子と、入力操作時における訂正操作子の単位時間当たりに押下される回数を検出する押下頻度検出手段とを備える操作部と、情報を提示する情報提示手段と、押下頻度検出手段で検出された押下回数に応じて情報提示手段における情報提示のしかたを変更する制御を行う提示制御手段とを備え、入力操作子に対して複数文字が割り当てられ、該入力操作子の連続押下回数に応じて入力される文字が切り換えられ、押下頻度検出手段は、入力操作子の連続押下回数を検出し、該入力操作子の連続押下回数が該入力操作子に割り当てられる文字数を上回るとき、該入力操作子を訂正操作子としてみなしてその押下回数を検出する。
【００１２】
また、上述の目的を達成するために本発明に係る入力方法は、複数の入力操作子のうち、先になされた入力操作を訂正するための訂正操作子に対する入力操作時における押圧強度を検出し、所定期間又は所定操作回数に亘って検出された押圧強度から押圧基準値を算出し、入力操作子に対して複数文字が割り当てられ、該入力操作子の連続押下回数に応じて入力される文字が切り換えられ、入力操作子の連続押下回数を検出し、該入力操作子の連続押下回数が該入力操作子に割り当てられる文字数を上回るとき、該入力操作子を訂正操作子としてみなしてその押圧強度を検出する。
【００１３】
また、本発明に係る入力方法は、複数の入力操作子のうち、先になされた入力操作を訂正するための訂正操作子が入力操作時において単位時間当たりに押下される回数を検出し、所定期間に亘って検出された押下頻度から押下頻度基準値を算出し、入力操作子に対して複数文字が割り当てられ、該入力操作子の連続押下回数に応じて入力される文字が切り換えられ、入力操作子の連続押下回数を検出し、該入力操作子の連続押下回数が該入力操作子に割り当てられる文字数を上回るとき、該入力操作子を訂正操作子としてみなしてその押下回数を検出する。
【００１４】
情報提示のしかたには、情報提示手段が動画像データ、静止画像データ及び文字データの少なくともいずれかを表示する表示手段である場合、及び／又は音声出力手段である場合がある。情報提示手段が表示手段である場合、提示制御手段は、表示される画像の輝度、表示される画像のコントラスト、表示される表示対象物の大きさ、表示される表示対象物の色彩、又は表示される表示対象物の点滅表示を制御する。また、情報提示手段が音声出力手段である場合、提示制御手段は、音声出力手段にて出力される音声のボリューム、出力される音声のトーンを制御する。またはこれらを併用してもよい。
さらに、上述した目的を達成するために、本発明に係る入力方法は、入力操作時における入力操作子に対する押圧強度を検出し、所定期間又は所定操作回数に亘って検出された押圧強度から押圧基準値を算出することを特徴とする。あるいは、入力操作時において入力操作子が単位時間当たりに押下される回数を検出し、所定期間に亘って検出された押下頻度から押下頻度基準値を算出する。さらに、ここで検出された押圧強度と押圧基準値を比較し、又は押下回数と押下頻度基準値を比較し、比較結果から使用者の心理状態を判断する。特に、入力操作子は、先になされた入力操作を訂正するための訂正操作子とすることができる。
【発明の効果】
【００１５】
本発明に係る入力装置及び電子機器によれば、使用者に生体指標の取得操作を明示的に実行させることなく、打キー速度及び／又は打キー強度から使用者の心理状態を検出することができる。これにより、新しいエンターテインメント用途、新たな技術的用途が創出できる。
【発明を実施するための最良の形態】
【００１６】
以下、本発明の具体例について図面を参照して詳細に説明する。本発明の具体例として示す入力装置１は、ユーザから操作入力が行われる操作入力キー１１と、操作入力キー１１にて入力が行われたときの操作時の強さを検出する打キー強度検出部１２と、操作入力キー１１にて入力が行われたときの操作速度を検出する打キー速度検出部１３と、標準的な打キー強度値及び打キー速度値を記憶した標準値メモリ１４と、検出された打キー強度及び／又は打キー速度からユーザの心理状態を判断する心理状態判断部１５と、心理状態に応じて出力情報を変換する出力情報変換部１６とを備えている。
【００１７】
入力装置１において、操作入力キー１１は、キーボード、テンキー、マウス、ゲーム用コントローラ、リモートコントローラ、タッチパネル等を含む。
【００１８】
打キー強度検出部１２は、操作入力キー１１に設けられ、ユーザがキー操作する際のキーに対する押圧力を検出する。打キー強度検出部１２は、図示しないが所定期間あるいは所定操作回数に亘って検出された押圧力からユーザの押圧基準値を算出する基準値算出部を備え、算出した押圧基準値を標準値メモリ１４に送っている。ここでは、打キー強度検出部１２は、圧力センサである。
【００１９】
なお、圧力センサには、押圧力に応じて連続的に検出値を変化させて出力するアナログ圧力センサと、段階的あるいは離散的に出力するデジタル圧力センサとがあるが、本発明においてはそのいずれも適用できる。
【００２０】
また、打キー速度検出部１３は、操作入力キー１１に設けられ、入力操作時の単位時間当たりにキーが押下される回数、すなわち打キー速度を検出する。また、打キー速度検出部１３は、図示しないが、所定期間に亘って検出された押下回数から使用者の単位時間当たりの平均押下回数を算出する打キー速度算出部を備え、算出した平均打キー速度を標準値メモリ１４に送っている。打キー速度の算出は、上述した圧力センサを用いて操作入力キー１１に対するアクション回数を求めることで実現できる。
【００２１】
標準値メモリ１４には、基準値算出部で算出された押圧基準値及び打キー速度算出部で算出された平均打キー速度が記憶されている。標準値メモリ１４に記録される押圧基準値及び平均打キー速度は、例えば、購入時等にユーザに予め入力させる処理を実行してもよいし、通常の使用時に定期的にデータを採取し、これらのデータの平均値として押圧基準値及び平均打キー速度を算出してもよい。
【００２２】
心理状態判断部１５は、比較部を備えており、打キー強度検出部１２及び打キー速度検出部１３において検出されたユーザの押圧力及び打キー速度の標準値と検出値とを比較して、ユーザによる入力操作が標準的な状態であるか否かを判断することによってユーザの心理状態を判断している。例えば、人は慌てていると、通常であれば難なくこなせる作業のミスが増えたり、急ごうと思えば思うほど動作が強張るばかりで、速い動作ができなくなったりすることがある。例えば、入力速度が遅いのにも関わらず、押圧が大きい場合には、ユーザは焦っており、入力速度が上がらない（気持ちが空回りしている。）状態にあることを意味している。
【００２３】
そこで本具体例では、ユーザの入力操作にかかる打キー強度と打キー速度から“焦り”状態を検出できるようにした。心理状態を判断するための指標としては、打キー強度検出部１２にて検出された押圧力及び打キー速度の時間変動又はレベルがある。例えば、打キー強度の検出値が平均値より大きくずれる場合及び／又は打キー速度の検出値が平均打キー速度と比べて大きくずれる場合、平常状態でないと判断する。また、打キー強度の検出値が一瞬だけ大きくなったとしても、所定の時間範囲あるいは所定の打キー回数の範囲で平均しその平均検出値が打キー強度の標準値より大きくずれていない場合は、平常状態であると判断し、その範囲で統計処理を行い打キー強度の検出値が大きくばらついている場合には、平常状態でないと判断する。
【００２４】
出力情報変換部１６は、ユーザに出力する情報を変換する。または、ユーザに現在の心理状態（“焦り”状態）を警告する。
【００２５】
続いて、入力装置１がユーザの心理状態を判断して提供する情報を変更する処理を図２及び図３を用いて説明する。以下では、打キー速度検出部１３にて検出される打キー速度をＫＳＤ、平均打キー速度をＫＳＳとする。入力装置１は、ステップＳ１にて、打キー速度検出部１３において打キー速度を検出する。次にステップＳ２にて、検出値ＫＳＤと平均打キー速度ＫＳＳとを比較する。すなわち、本具体例では、出力情報変換部１６にて出力する情報を変換する閾値αを通常の打キー速度の１．２倍としている。ステップＳ２にて通常の打キー速度を上回った場合、ステップＳ３において、ユーザに出力する情報を変更する。ステップＳ２にて通常の打キー速度を上回らなければ、通常の表示を続ける。
【００２６】
また、図３では、打キー強度検出部１２において検出される打キー強度をＫＰＤ、押圧基準値をＫＰＳとする。入力装置１は、ステップＳ１１にて、打キー強度検出部１２において打キー強度を検出する。次に、ステップＳ１２にて、検出値ＫＰＤと押圧基準値ＫＰＳとを比較する。すなわち、本具体例では、出力情報変換部１６にて出力する情報を変換する閾値βを通常の打キー強度の１．４倍としている。ステップＳ１２にて通常の打キー強度を上回った場合、ステップＳ１３において、ユーザに出力する情報を変更する。ステップＳ１２にて通常の打キー強度を上回らなければ、通常の表示を続ける。
【００２７】
ステップＳ３及びステップＳ１３において、出力される情報が変更されるとは、具体的には、例えば、表示されている文字のサイズを大きくすること、文字を強調フォントにすること、警告のためのビープ音等を発生させること、“落ち着いて下さい”等のメッセージにて警告すること、表示画面の色を変更すること、表示対象物を点滅させること等を含む。
【００２８】
さらに、打キー速度と打キー強度とを総合的に判断してもよい。この場合の処理を図４に示す。入力装置１は、ステップＳ２１にて、打キー強度検出部１２において打キー強度を検出し、打キー速度検出部１３において打キー速度を検出する。次に、ステップＳ２２にて、打キー速度の検出値ＫＳＤと平均打キー速度ＫＳＳとを比較する。ステップＳ２２にて通常の打キー速度を上回った場合、ステップＳ２３において、打キー強度の検出値ＫＰＤと押圧基準値ＫＰＳとを比較する。ステップＳ２３にて通常の打キー強度を上回った場合、ステップＳ２４において、ユーザに出力する情報を変換する。ここでは文字サイズを最大及び再強調にする。
【００２９】
一方、ステップＳ２２において、通常の打キー速度を上回らず、かつステップＳ２５においてステップＳ２３と同様の判別処理をしたときに通常の打キー強度を上回っていた場合、ステップＳ２６において文字サイズを若干大きく変更する。
【００３０】
また、ステップＳ２２において通常の打キー速度を上回ることなく、ステップＳ２５においても通常の打キー強度の範囲内にあった場合、ステップＳ２７において通常表示を続ける。
【００３１】
図４では、主としてユーザの焦り具合を判断するための処理であるが、この場合、ＫＳＤが遅く、ＫＰＤが大きいときに出力情報を変更し、すなわち文字サイズを最大とし文字を最も強調するとよい。
【００３２】
以上説明したように、本発明の具体例として示す入力装置１は、操作入力時に操作入力キーに働く“強さ”と“スピード”からユーザの“焦り具合”のような心理状態を知ることができる。
【００３３】
なお、入力装置１は、打キー強度検出部１２と打キー速度検出部１３とを併用して検出値を複合的に用いてユーザの状態を求めているがいずれかを備えていればよい。また、複数の操作入力キーを備える、例えばテンキーやリモートコントローラなどでは、このうちの少なくとも１つの操作入力キーが上記の打キー速度や打キー強度を検出できるものであればよい。このほか、操作入力キー１１に対する作用からユーザの心理状態を知る方法としては、例えば、入力した文字を訂正するための訂正キーが単位時間当たりに何回使用されたかを検出する方法がある。すなわち、打キー速度が大きいときに訂正キーが閾値以上使用された場合、焦り状態にあると判断する。もちろん、この訂正キーを強く押下したか否かによってユーザの心理状態を判断してもよい。なお、訂正キーには、１回前の状態に戻すアンドゥ（undo）キー、直前のキー入力を削除するバックスペース（back space）キー、直前のキー入力を取り消すエスケープ（escape）キー、入力した文字を削除するデリート（delete）キーなどがある。
【００３４】
また、あるキーに対する連続押下回数を監視する方法がある。携帯型電話機等のような小型の携帯機器のなかには、操作入力キーに対して複数文字が割り当てられているものがある。このような機器では、ある文字を選択しようとして所望の文字を通り過ぎた場合、もう一巡して希望の文字が表示されるまで連続的に押下しなくてはならない、そこで、押下回数に応じて入力文字が切り換えられる操作入力キーである場合には、この１つのキーの連続押下回数を監視して、同一キーの連続押下回数が所定回数を上回るか否かによって使用者の心理状態を判断する。
【００３５】
また、操作入力キー１１は、回転操作子であってもよい。この場合、ノッチ回数、通り過ぎによる逆回転、回転速度を容易に検出できる。さらに電磁誘導タイプの操作入力キーであってもよい。この場合、打キー速度に比例した電圧が検出できるため、打キー強度及び打キー速度が容易に測定できる。
【００３６】
また、操作入力キーの場合は主にユーザの指で打キーするが、タッチパネルを使用したＰＤＡ（Personal Digital Assistant）などでは、タッチパネル上に印刷あるいは表示されるアイコンやソフトウェアキーを付属のスタイラスやペン先などで押圧する。
【産業上の利用可能性】
【００３７】
本発明は、電子機器の入力部であれば適用することができる。押下回数と押下強度によってユーザの心理状態を取得できるようにすることで、新しいエンターテインメント用途及び新たな技術的用途が創出できる。
【図面の簡単な説明】
【００３８】
【図１】本発明の具体例として示す入力装置を説明する構成図である。
【図２】上記入力装置がユーザの心理状態を判断して提供する情報を変更する処理を説明するフローチャートである。
【図３】上記入力装置がユーザの心理状態を判断して提供する情報を変更する処理を説明するフローチャートである。
【図４】上記入力装置がユーザの心理状態を判断して提供する情報を変更する処理を説明するフローチャートである。
【符号の説明】
【００３９】
１    入力装置，  １１    操作入力キー，  １２    打キー強度検出部，
１３    打キー速度検出部，    １４    標準値メモリ，    １５    心理状態判断部，
１６    出力情報変換部
【図１】
0004046078.tif 000002
【図２】
0004046078.tif 000003
【図３】
0004046078.tif 000004
【図４】
0004046078.tif 000005